(57)【要約】【課題】身体不自由な人および若年者や高齢者などの煩雑な操作に適応することができない使用者に向けたユニバーサルモードを実現するにあたって、操作性を向上する。【解決手段】複写機機能を有する複合機において、タッチパネル装置ＰでのソフトウェアキーＢ８０〜Ｂ８６，Ｂ８８，Ｂ８９，Ｂ８Ａ，Ｂ８Ｂの選択に、１〜６，８，９，♯，＊のキーをそれぞれ使用可能なように、対応する数値または記号を併せて表示する。さらに、そのソフトウェアキーの数を、テンキーの範囲とする。したがって、ユニバーサルモードでは、一部または全部の機能設定がテンキーで行えるようになり、前記煩雑な操作に適応することができない使用者は、テンキーによる分かり易い操作で、多様な機能選択を行うことができるとともに、表示領域Ａ１には、最大でもテンキー分の選択機能しか表示されず、それぞれの選択機能を大きく表示して、操作性を向上することができる。【選択図】図１２
2007235336.tif 000002
【特許請求の範囲】
【請求項１】
入力操作手段と、相互に集約して配列される置数キーの群と、前記入力操作手段の表示領域へ表示を行わせるとともに、前記入力操作手段の入力部および前記置数キーからの入力を受付ける制御手段とを備えて構成される画像形成装置の入力操作装置において、
前記制御手段は、ユニバーサルモード時には、前記表示領域上に、選択機能に前記置数キーの範囲で対応付けた番号または記号を付した機能選択画面を表示させるとともに、入力部および各置数キーからの入力を対応する選択機能の入力として受付け、標準モード時には、前記表示領域上に、前記選択機能に番号または記号の表示を行わず、前記入力部からの入力のみを受付けることを特徴とする画像形成装置の入力操作装置。
【請求項２】
前記制御手段は、前記ユニバーサルモード時は、前記入力操作手段の表示領域の表示を、前記標準モード時に比べて高コントラストに切換えることを特徴とする請求項１記載の画像形成装置の入力操作装置。
【請求項３】
前記入力操作手段には、他の表示領域が設けられており、前記制御手段は、モードに拘わらず、その他の表示領域上に、ステータス情報を表示することを特徴とする請求項１または２記載の画像形成装置の入力操作装置。
【請求項４】
前記請求項１〜３のいずれか１項に記載の入力操作装置を備えることを特徴とする画像形成装置。
【発明の詳細な説明】
【技術分野】
【０００１】
本発明は、複写機などとして実現される画像形成装置およびその入力操作装置に関し、特にユニバーサルモードを有するものに関する。
【背景技術】
【０００２】
前記複写機や、その機能にプリンタやファクシミリなどの機能を併せ持つデジタル複合機などのような煩雑な機能操作が行われる画像形成装置において、特にコンビニなどに設置され、不特定の使用者が使用する場合には、通常の高機能性を損なうことなく、あらゆる使用者が容易に操作可能であることが望まれる。そこで、近年、ユニバーサルモードを搭載した機器が登場している。このユニバーサルモードとは、入力操作装置から使用者が機能設定を行うにあたって、標準モードが、健常者および青壮年層などの煩雑な操作に適応することができる使用者を対象とし、総ての機能設定が可能であるのに対して、身体不自由な人および若年者や高齢者などの前記煩雑な操作に適応することができない（操作に不慣れな）使用者を対象とし、多くの場合、一部の機能に絞られるものの、大きな表示などで設定を容易に行うことができるモードである。
【０００３】
たとえば特許文献１には、表示を拡大して、シフトキーのスクロール指示によって画面全体を確認できるようにした画像形成装置が提案されている。しかしながら、この従来技術は、単に拡大表示を行うだけであり、この技術をタッチパネルなどの表示手段上に入力手段を備える構成に適用すると、タッチ操作を行うにあたって、必要な機能のソフトウェアキーをスクロール操作して捜し出さなければならず、操作性が悪いという問題がある。
【０００４】
一方、熟練した使用者が、多くの機能の中から、少ない手数で所望とする機能を設定できるようにした従来技術が、特許文献２や特許文献３で提案されている。それらの従来技術によれば、本来、複数の階層の機能選択画面で分割して表示されるはずの機能を、機能名だけを小さい表示で一括表示し、それに併せて表示した番号をテンキー操作によって指定することで、煩雑な頁捲り操作を行うことなく、所望とする機能一発設定できるようになっている。
【特許文献１】特開平６−５９６４７号公報
【特許文献２】特許第３６１３４１０号公報
【特許文献３】特開昭６２−２７２２８６号公報
【発明の開示】
【発明が解決しようとする課題】
【０００５】
前記特許文献２や特許文献３は、機能選択にテンキーを用いることで操作性を向上しているものの、上述のように熟練した使用者向けで、総ての機能を１つの画面で表示しているので、前記ユニバーサルモードの対象とする使用者には適用することができないという問題がある。
【０００６】
本発明の目的は、ユニバーサルモードを実現するにあたって、操作性を向上することができる画像形成装置およびその入力操作装置を提供することである。
【課題を解決するための手段】
【０００７】
本発明の画像形成装置の入力操作装置は、入力操作手段と、相互に集約して配列される置数キーの群と、前記入力操作手段の表示領域へ表示を行わせるとともに、前記入力操作手段の入力部および前記置数キーからの入力を受付ける制御手段とを備えて構成される画像形成装置の入力操作装置において、前記制御手段は、ユニバーサルモード時には、前記表示領域上に、選択機能に前記置数キーの範囲で対応付けた番号または記号を付した機能選択画面を表示させるとともに、入力部および各置数キーからの入力を対応する選択機能の入力として受付け、標準モード時には、前記表示領域上に、前記選択機能に番号または記号の表示を行わず、前記入力部からの入力のみを受付けることを特徴とする。
【０００８】
上記の構成によれば、たとえば液晶パネル上にタッチパネルを搭載して構成される入力操作手段と、相互に集約して配列される置数キー（集約して一群として配列されていれば、数値キー以外に、♯や＊等の記号キーも、適宜含めてもよい）の群と、前記入力操作手段の表示領域へ表示を行わせるとともに、前記入力操作手段の入力部からの入力を受付ける制御手段とを備えて構成される画像形成装置の入力操作装置において、前記置数キーを用いて、身体不自由な人および若年者や高齢者などの煩雑な操作に適応することができない使用者に向けたユニバーサルモードでの入力操作を実現するにあたって、ユニバーサルモード時には、頁を捲ってゆくように階層表示させる複数の機能選択画面毎に、前記置数キーの範囲で、対応付けた番号または記号を付して選択機能の表示を行わせる。一方、標準モード時においては、前記機能選択画面における番号または記号の表示を行わず、従来通りタッチパネルなどからの入力で前記機能選択が行われる。
【０００９】
したがって、ユニバーサルモードでは、一部または全部の機能設定が置数キーからも行えるようになり、前記煩雑な操作に適応することができない使用者は、置数キーによる分かり易い操作で、多様な機能選択を行うことができるとともに、前記表示領域には、最大でも置数キー分の選択機能しか表示されず、それぞれの選択機能を大きく表示して操作性を向上することができる。
【００１０】
また、本発明の画像形成装置の入力操作装置では、前記制御手段は、前記ユニバーサルモード時は、前記入力操作手段の表示領域の表示を、前記標準モード時に比べて高コントラストに切換えることを特徴とする。
【００１１】
上記の構成によれば、ユニバーサルモード時の視認性をより高くすることができる。
【００１２】
さらにまた、本発明の画像形成装置の入力操作装置では、前記入力操作手段には、他の表示領域が設けられており、前記制御手段は、モードに拘わらず、その他の表示領域上に、ステータス情報を表示することを特徴とする。
【００１３】
上記の構成によれば、前記入力操作手段には、標準モードとユニバーサルモードとで上述のように表示態様が切換えられる機能選択画面の表示を行う表示領域とともに、他の表示領域が設けられており、前記制御手段は、前記標準モードとユニバーサルモードとのいずれのモードであるかに拘わらず、その他の表示領域上に、ファクシミリ送受信のような並行して行われている処理の様子、故障箇所や紙切れなどの機器の状態などのステータス情報を表示する。
【００１４】
したがって、ユニバーサルモード時に、上述のような操作性の向上を図りつつも、使用者に重要な情報を伝えることができる。
【００１５】
また、本発明の画像形成装置は、前記の入力操作装置を備えることを特徴とする。
【００１６】
上記の構成によれば、操作性を向上することができる画像形成装置を実現することができる。
【発明の効果】
【００１７】
本発明の画像形成装置の入力操作装置は、以上のように、たとえば液晶パネル上にタッチパネルを搭載して構成される入力操作手段と、相互に集約して配列される置数キーの群と、前記入力操作手段の表示領域へ表示を行わせるとともに、前記入力操作手段の入力部からの入力を受付ける制御手段とを備えて構成される画像形成装置の入力操作装置において、前記置数キーを用いて、ユニバーサルモードでの入力操作を実現するにあたって、前記制御手段は、ユニバーサルモード時には、頁を捲ってゆくように階層表示させる複数の機能選択画面毎に、前記置数キーの範囲で、対応付けた番号または記号を付して選択機能の表示を行わせる。
【００１８】
それゆえ、ユニバーサルモードでは、一部または全部の機能設定が置数キーからも行えるようになり、前記煩雑な操作に適応することができない使用者は、置数キーによる分かり易い操作で、多様な機能選択を行うことができるとともに、前記表示領域には、最大でも置数キー分の選択機能しか表示されず、それぞれの選択機能を大きく表示して操作性を向上することができる。
【００１９】
また、本発明の画像形成装置は、以上のように、前記の入力操作装置を備える。
【００２０】
それゆえ、操作性を向上することができる画像形成装置を実現することができる。
【発明を実施するための最良の形態】
【００２１】
図１は、本発明の実施の一形態に係る画像形成装置である複合機１の機械的構成を示す縦断面図である。複合機とは、コピー機能、プリンタ機能、ファクシミリ機能、およびスキャナ機能等、画像形成に関する複数の機能を兼ね備えた画像形成装置を意味する。この複合機１は、大略的に、使用者が種々の操作指令等を入力するための操作部１００と、本体部２００と、本体部２００の左側に配設された用紙後処理部３００と、本体部２００の上部に配設された原稿読み取り部５００と、原稿読み取り部５００の上方に配設された原稿給送部６００とを備えて構成される。
【００２２】
前記本体部２００は、複数の給紙カセット２０１、複数の給紙ローラ２０２、転写ローラ２０３、中間転写体ローラ２０４、感光体ドラム２０５、露光装置２０６、イエロー、マゼンタ、シアン、ブラックの各色用の現像装置２０７Ｙ，２０７Ｍ，２０７Ｃ，２０７Ｋ、定着ローラ２０８、排出口２０９、および排出トレイ２１０を備える。
【００２３】
前記感光体ドラム２０５は、矢印方向に回転しながら帯電装置（図示省略）によって一様に帯電される。露光装置２０６は、原稿読み取り部５００において読み取られた原稿の画像データに基づいて生成された変調信号をレーザ光に変換して出力し、感光体ドラム２０５に各色別に静電潜像を形成する。現像装置２０７Ｙ，２０７Ｍ，２０７Ｃ，２０７Ｋは、各色の現像剤を感光体ドラム２０５に供給して各色別のトナー画像を形成する。中間転写体ローラ２０４は、感光体ドラム２０５から各色のトナー像を転写され、中間転写体ローラ２０４上にカラーのトナー像が形成される。
【００２４】
一方、給紙ローラ２０２は、記録紙が収納された給紙カセット２０１から記録紙を引き出し、転写ローラ２０３まで給送する。転写ローラ２０３は、搬送された記録紙に中間転写体ローラ２０４上のトナー像を転写させ、定着ローラ２０８は、転写されたトナー像を加熱して記録紙に定着させる。その後、記録紙は、本体部２００の排出口２０９から用紙後処理部３００に搬入される。また、記録紙は、必要に応じて排出トレイ２１０へも排出される。
【００２５】
用紙後処理部３００は、搬入口３０１、記録紙搬送部３０２、仕分け部３０３、処理部３０４、搬出口３０５およびスタックトレイ３０６等を備える。この用紙後処理部３００には、印刷後に、ステープルやパンチなどの後処理が必要となった記録紙が、前記本体部２００の排出口２０９から搬入口３０１に搬入され、記録紙搬送部３０２から仕分け部３０３に順次搬送され、適宜仕分けや先端揃えが行われた後、処理部３０４において前記ステープルやパンチなどの処理が行われ、搬出口３０３からスタックトレイ３０４へ排出される。スタックトレイ３０４は、搬出口３０３から搬出された記録紙の集積枚数に応じて矢印方向に上下動可能に構成されている。
【００２６】
前記原稿給送部６００は、原稿載置部６０１、原稿排出部６０２、給紙ローラ６０３および原稿搬送部６０４等を備え、原稿読み取り部５００は、スキャナ５０１等を備える。給紙ローラ６０３は、原稿載置部６０１にセットされた原稿を繰り出し、原稿搬送部６０４は、繰り出された原稿を１枚ずつ順にスキャナ５０１上に搬送する。スキャナ５０１は搬送される原稿を順次読み取り、読み取られた原稿は原稿排出部６０２に排出される。
【００２７】
図２は、前記操作部１００の正面図である。この操作部１００には、タッチパネル装置Ｐ、各種のスイッチＳ０〜Ｓ４；Ｓ１１〜Ｓ２１、置数キー群ＫおよびインジケータＬ１〜Ｌ５が設けられている。タッチパネル装置Ｐは、入力操作手段であり、表示領域を有する液晶パネル上に、入力部を構成するタッチパネルを搭載して構成され、前記液晶パネルはフルカラー表示可能であり、その液晶パネル上に区画表示されたソフトキーに使用者が触れることで、そのキー操作が行われたものと認識するものである。
【００２８】
前記置数キー群Ｋは、集約して一群として配列されている０〜９の数値キーＫ０〜Ｋ９に、♯および＊の記号キーＫ１０，Ｋ１１を含んで構成されている。この置数キー群Ｋは、本実施の形態では、数値キーＫ０〜Ｋ９だけに限らず、前記♯および＊の記号キーＫ１０，Ｋ１１以外のキーも適宜含めて構成されればよいが、他のスイッチＳ０〜Ｓ４；Ｓ１１〜Ｓ２１とは異なり、前記数値キーＫ０〜Ｋ９と集約して一群として配列されているものとする。
【００２９】
残余のスイッチＳ０〜Ｓ４；Ｓ１１〜Ｓ２１において、代表的に、スイッチＳ０は副電源スイッチであり、コピー動作やスキャナ読込みなどを可能とする電源スイッチであり、これ以外に前記本体部２００に図示しない主電源スイッチが設けられており、その主電源スイッチが投入されていると、この副電源スイッチＳ０が投入されていなくても、ファクシミリ受信やプリンタデータの受信は可能となる。スイッチＳ１は前記コピー動作やスキャナ読込みなどを開始させるスタートスイッチであり、スイッチＳ２は前記コピー動作やスキャナ読込みなどを停止させるストップスイッチであり、スイッチＳ３は入力操作を取り消すクリアスイッチであり、スイッチＳ４はタッチパネル装置Ｐを初期状態にリセットするリセットスイッチである。注目すべきは、本実施の形態では、ユニバーサルモードへ切換えるスイッチＳ２１が設けられていることである。このスイッチＳ２１の切換えによる本実施の形態のユニバーサルモードの説明については、後に詳細に行う。
【００３０】
インジケータＬ１〜Ｌ５は、発光ダイオードなどから成り、点灯／消灯或いは点滅状態で該複合機１の状態を示すものである。たとえば、インジケータＬ１はプリンタ連動モードで印刷中に点灯し、インジケータＬ２はファクシミリ送信中に点灯し、インジケータＬ３はファクシミリ受信中に点灯し、インジケータＬ４はファクシミリ送信待ちや未印刷などのデータが格納されているときには点灯し、インジケータＬ５は該複合機のどこかで異常が発生すると点灯或いは点滅する。
【００３１】
図３は、上述のように構成される複合機１の電気的構成を示すブロック図である。この複合機１は、大略的に、スキャナ部１１、画像処理部２１、プリンタ部３１、データメモリ３６、制御部４１、操作パネル部５１、ファクシミリ通信部６１、ネットワークＩ／Ｆ部７１、パラレルＩ／Ｆ部７２、シリアルＩ／Ｆ部７３およびＨＤＤ７４を備えて構成される。
【００３２】
前記スキャナ部１１、画像処理部２１、データメモリ３６、制御部４１、操作パネル部５１、およびネットワークＩ／Ｆ部７１は、図１に示す操作部１００、原稿読み取り部５００、および原稿給送部６００に相当し、これら各部によって、取り込んだ画像データを予め指定されたＩＰアドレスへ送信するネットワークスキャナ機能が実現される。また、前記スキャナ部１１、画像処理部２１、プリンタ部３１、データメモリ３６、制御部４１、操作パネル部５１、およびファクシミリ通信部６１は、図１に示す本体部２００、操作部１００、原稿読み取り部５００、および原稿給送部６００に相当し、これらの各部によって、ファクシミリ機能が実現される。さらにまた、前記画像処理部２１、プリンタ部３１、制御部４１、操作パネル部５１、ネットワークＩ／Ｆ部７１、およびパラレルＩ／Ｆ部７２は、図１に示す本体部２００および操作部１００に相当し、これらの各部によって、プリンタ機能が実現される。また、前記スキャナ部１１、画像処理部２１、プリンタ部３１、制御部４１、および操作パネル部５１は、図１に示す本体部２００、用紙後処理部３００、操作部１００、原稿読み取り部５００、および原稿給送部６００に相当し、これらの各部によって、コピー機能が実現される。
【００３３】
操作パネル部５１は、後述するように使用者がコピー機能、プリンタ機能、ファクシミリ機能およびスキャナ機能等に関する操作を行うために使用され、使用者による操作指令（コマンド）等を制御部４１に与えるものである。操作パネル部５１は、前記タッチパネル装置ＰおよびインジケータＬ１〜Ｌ５等を有する表示部５２と、スタートスイッチＳ１や置数キー群Ｋ等を有する操作キー部５３とを含む。
【００３４】
スキャナ部１１は、原稿の画像を光学的に取得して画像データを生成するものである。スキャナ部１１は、露光ランプ１２およびＣＣＤ（電荷結合素子）１３を含んでいる。スキャナ部１１は、露光ランプ１２によって原稿を照射し、その反射光をＣＣＤ１３で受光することで、原稿画像を読取り、読取った画像に対応する画像データを画像処理部２１へ出力する。スキャナ部１１は、モノクロ原稿だけでなく、カラー原稿や写真原稿の読取りが可能となっていてもよい。
【００３５】
画像処理部２１は、画像データに対する各種画像処理を行うものである。たとえば、画像処理部２１は、スキャナ部１１で読取られるなどして得られた画像データに対して、レベル補正、γ補正等の所定の補正処理、画像データの圧縮または伸張処理、拡大または縮小処理等の種々の画像処理（加工処理）を行う。画像処理部２１は、画像メモリ２２を含み、処理された画像データ等をこの画像メモリ２２に記憶したり、プリンタ部３１、ファクシミリ通信部６１、またはネットワークＩ／Ｆ部７１等へ出力する。
【００３６】
プリンタ部３１は、スキャナ部１１によって読取られた原稿の画像データ、ネットワークＩ／Ｆ部７１を介して外部のパーソナルコンピュータ等から受信した画像データ、およびファクシミリ通信部６１によって外部のファクシミリ装置から受信したファクスデータ等の画像データに対する画像を所定の記録紙に印刷するものである。プリンタ部３１は、給紙カセットおよび給紙ローラ等を有する用紙搬送部３２、中間転写体ローラ、感光体ドラム、露光装置、および現像装置等を有する画像形成部３３、転写ローラ等を有する転写部３４、ならびに定着ローラ等を有する定着部３５を含む。具体的には、用紙搬送部３２は記録紙を画像形成部３３へ搬送し、画像形成部３３は上記画像データに対応するトナー像を形成し、転写部３４はトナー像を記録紙に転写し、定着部３５はトナー像を記録紙に定着させて画像を形成する。
【００３７】
データメモリ３６は、ファクシミリ通信を行う時の短縮釦登録の相手先名称やファクシミリ番号を予め記憶している記憶手段であり、またネットワークスキャナとして使用される際の送信相手先のＩＰアドレスなども予め記憶している。これらの記憶内容は、操作パネル部５１への入力操作によって、制御部４１によって適宜書替えが可能となっている。
【００３８】
制御部４１は、図示しないＣＰＵ（Central Processing Unit；中央演算処理部）に、そのＣＰＵの動作を規定するプログラムを格納するＲＡＭ（Random Access Memory）やＲＯＭ（Read Only Memory）、ならびに一時的にデータを保管するＲＡＭや不揮発性の記憶部などの周辺装置を有している。これによって、制御部４１は、操作パネル部５１等で受け付けられた指示情報や、複合機１の各所に設けられているセンサからの検出信号に応じて、該複合機１全体の制御を行う。より具体的には、制御部４１は、スキャナコントローラ４２、ファクシミリコントローラ４３、プリンタコントローラ４４、コピーコントローラ４５、および入力コントローラ４６として機能する。
【００３９】
前記プログラムは、ＲＯＭ或いはＣＤ−ＲＯＭ等の記録媒体を通じて供給することも、ネットワークＩ／Ｆ部７１に接続されるネットワーク等の伝送媒体を通じて供給することも可能である。伝送媒体は、有線の伝送媒体に限らず無線の伝送媒体であってもよい。また、伝送媒体には、通信線路のみでなく、通信線路を中継する中継装置、たとえばルータ等の通信リンクをも含む。
【００４０】
プログラムがＲＯＭを通じて供給される場合には、当該プログラムが記録されたＲＯＭを制御部４１に搭載することによって、ＣＰＵによる実行に供することができる。プログラムがＣＤ−ＲＯＭを通じて供給される場合には、ＣＤ−ＲＯＭ読取り装置を、たとえばパラレルＩ／Ｆ部７２へ接続し、当該プログラムをＲＡＭへ転送することによって、ＣＰＵによる実行に供することができる。また、プログラムが伝送媒体を通じて供給される場合には、ネットワークＩ／Ｆ部７１を通じて受信したプログラムをＲＡＭへ転送することによって、ＣＰＵによる実行に供することができる。
【００４１】
スキャナコントローラ４２は、スキャナ機能を実現するために用いられる各部の動作を制御するものである。ファクシミリコントローラ４３は、ファクシミリ機能を実現するために用いられる各部の動作を制御するものである。プリンタコントローラ４４は、プリンタ機能を実現するために用いられる各部の動作を制御するものである。コピーコントローラ４５は、コピー機能を実現するために用いられる各部の動作を制御するものである。
【００４２】
ファクシミリ通信部６１は、符号化／復号化部（図示せず）、変復調部（図示せず）およびＮＣＵ（Network Control Unit）（図示せず）を含み、スキャナ部１１によって読取られた原稿の画像データを電話回線やインターネット回線を介して他のファクシミリ装置へ送信したり、他のファクシミリ装置から送信されてきた画像データを受信するものである。前記符号化／復号化部は、送信する画像データを圧縮・符号化し、受信した画像データを伸長・復号化するものであり、変復調部は、圧縮・符号化された画像データを音声信号に変調したり、受信した信号（音声信号）を画像データに復調するものである。また、ＮＣＵは、送受信先となるファクシミリ装置との電話回線による接続を制御するものである。
【００４３】
ネットワークＩ／Ｆ部７１は、ネットワークインタフェース（たとえば10/100Base-TX）等を用い、ネットワークを介して接続されたユーザ側サーバとの間での種々のデータの送受信を制御するものである。また、ネットワークにパーソナルコンピュータ等の図示しない１または複数の端末装置が接続されている場合に、ネットワークＩ／Ｆ部７１はこれらの端末装置との間での種々のデータの送受信を制御する。たとえば、ネットワークＩ／Ｆ部７１は、スキャナ部１１によって読取られた原稿画像データを端末装置へ送信したり、プリンタ部３１で印刷するために端末装置から送られた画像データを受信したりする。
【００４４】
パラレルＩ／Ｆ部７２は、高速双方向パラレルインターフェイス（たとえばＩＥＥＥ１２８４準拠）等を用い、複数の信号線を用いて複数ビット単位でデータを送信するパラレル伝送によって、外部機器等から印刷データ等を受信等するものである。シリアルＩ／Ｆ部７３は、シリアルインターフェイス（たとえばＲＳ−２３２Ｃ）等を用い、単一の信号線を用いて1ビットずつ順次データを送るシリアル伝送によって、外部機器等から種々のデータ等を受信等するものである。
【００４５】
ＨＤＤ７４は、オプションで増設される着脱可能な記憶媒体であり、スキャナ部１１によって読取られた画像データやネットワークを介して送信されてきた画像データ、あるいは当該画像データに設定されている出力形式等を記憶するものである。このＨＤＤ７４を増設することで、印字出力に連動せずに原稿を読込んだり、大量の原稿を連続して読込んだりすることができるようになる。このＨＤＤ７４に記憶されている画像データは、該複合機１で使用されるだけでなく、ネットワークＩ／Ｆ部７１を介して、端末装置によって確認されたり、端末装置の所定のフォルダへ転送されることによって、該端末装置での使用に供されたりする。
【００４６】
なお、複合機１では、上述の各機能を組合わせて種々の機能が実現される。たとえば、スキャナ機能として、ＰＣ送信機能、Ｅ−ｍａｉｌ送信機能、ＦＡＸ送信機能等が実現されてもよい。ここで、ＰＣ送信機能とは、原稿から読取った画像データをネットワークを介して任意の端末装置等へ直接送信する機能である。Ｅ−ｍａｉｌ送信機能とは、原稿から読取った画像データを電子メールの添付ファイルとして、ネットワークを介して、たとえば図略のＳＭＴＰサーバへ直接送信し、さらにこのＳＭＴＰサーバからネットワークを介して任意の外部端末装置等へ当該電子メールを送信することによって、原稿から読取った画像データを電子メールの添付ファイルとして送信する機能である。ＦＡＸ送信機能とは、原稿から読取った画像データを、電話回線等を介して任意のファクシミリ装置等へ直接送信する機能である。
【００４７】
以下に、前記操作部１００を用いた制御部４１の入力コントローラ４６による本発明の実施の一形態に係る入力手法（形態）について詳述する。本実施の形態では、その入力手法（形態）には、健常者および青壮年層などの煩雑な操作に適応することができる使用者に向けた標準モードと、身体不自由な人および若年者や高齢者などの前記煩雑な操作に適応することができない使用者に向けたユニバーサルモードとの２つのモードが設定されており、それらのモードを切換えて入力操作が行われる。制御手段である前記制御部４１の入力コントローラ４６および入力操作手段であるタッチパネル装置Ｐならびに置数キー群Ｋによって、本発明に係る入力操作装置が構成される。
【００４８】
前記標準モードの待機画面では、フルカラーで、図４で示すように、先ず表示領域Ａ１に、参照符号Ｈ０で示す該複合機１の外観図に、参照符号Ｂ０で示す各種のソフトウェアキー等が表示されるとともに、表示領域Ａ２にはガイダンス表示が行われ、表示領域Ａ３にはステータス情報が表示される。図４の例では、外観図Ｈ０には、前記本体部２００に、オプション装備の複数の給紙カセット２０１、用紙後処理部３００、原稿読み取り部５００および原稿給送部６００が取付けられていることが示されている。また、ソフトウェアキーＢ０には、複写機としての基本機能が割当てられている。さらにまた、ガイダンス表示は、複写機として異常が発生しておらず、コピー動作が可能であり、設定部数には初期値の１が設定されていることが示されている。ステータス情報には、ファクシミリ送信中であることが表示されている。本実施の形態は、ユニバーサルモードおよびモードの切換わりに関して特徴を有し、以下に詳述するが、標準モードの画面は従来通りであり、以降の説明でも、上記と同様に一例を簡単に述べる。
【００４９】
この状態で、前記置数キー群Ｋの数値キーＫ０〜Ｋ９から数値が入力されると、コピー部数が設定されて前記ガイダンス表示が変化するとともに、原稿がセットされ、スタートスイッチＳ１が操作されると、設定部数だけ、コピー動作が行われる。また、図４の状態から、各種のソフトウェアキーＢ０が操作されると、表示領域Ａ２は、対応する各機能の次の階層での詳細な機能設定画面に切換わる。
【００５０】
このような入力受付の動作は、前記タッチパネル装置Ｐに設定されたソフトウェアキーや、スイッチＳ０〜Ｓ４；Ｓ１１〜Ｓ２１または置数キー群Ｋからの操作を、制御部４１内の入力コントローラ４６が認識することで実現される。その入力に応じて、制御部４１内の各種のアプリケーションのコントローラ４１〜４５が動作を行い、また入力コントローラ４６がデータメモリ３６に格納された画像データを読出し、次の機能設定画面の表示を行うなど、タッチパネル装置ＰやインジケータＬ１〜Ｌ５等の表示制御を行う。以下の本実施の形態に係る機能設定の画面も同様に、タッチパネル装置Ｐに設定されたソフトウェアキーや、スイッチＳ０〜Ｓ４；Ｓ１１〜Ｓ２１または置数キー群Ｋからの操作を、制御部４１内の入力コントローラ４６が認識し、データメモリ３６に格納された画像データを読出すことで変更され、このようなハードウェア構成の説明については省略する。
【００５１】
前記図４で示す標準モードの待機画面において、スイッチＳ２１が操作されると、前記ユニバーサルモードに切換わり、図５で示すように、前記表示領域Ａ１の表示内容が変化する。本実施の形態では、ユニバーサルモードに切換わると、表示領域Ａ１はモノクロ高コントラスト表示に切換わるとともに、先ず部数設定のみが優先して行われるように、参照符号Ｈ１０で示す設定部数の画面が表示され、前記置数キー群Ｋの数値キーＫ０〜Ｋ９からの入力を許容する。数値が入力されると、コピー部数が設定されて前記設定部数の画面Ｈ１０が変化するとともに、原稿がセットされ、スタートスイッチＳ１が操作されると、設定部数だけ、コピー動作が行われる。このとき、前記表示領域Ａ２にはガイダンスとして設定部数が継続してカラー表示されているが、この表示領域Ａ１の表示は、上述のようにモノクロ高コントラストであるとともに、表示領域Ａ１の略中央部での拡大表示である。また、表示領域Ａ３のステータス情報も、カラーのままで、ステータスに変化が無ければ、同じ表示が継続される。
【００５２】
また、このユニバーサルモードの最初の画面では、前記設定部数の拡大表示Ｈ１０とともに、他の機能を設定するためのソフトウェアキーＢ１０が表示される。そして、このソフトウェアキーＢ１０には、♯の記号が付されている。このソフトウェアキーＢ１を操作すると、または前記置数キー群Ｋの♯の記号キーＫ１０を操作すると、図６で示すような他の機能の入力画面となる。前記図５で示すユニバーサルモードの最初の画面において、部数設定以外の他の機能設定へ移行するソフトウェアキーＢ１０に♯の記号キーＫ１０を使用することで、前記数値キーＫ０〜Ｋ９からの部数入力と区分して、入力内容を受付けることができる。このソフトウェアキーＢ１０には、置数キー群Ｋにおいて、前記数値キーＫ０〜Ｋ９以外の記号キーが対応していればよく、図２の例では、＊の記号キーＫ１１が用いられてもよい。
【００５３】
図６で示す機能選択画面においても、ユニバーサルモードが継続しているので、表示領域Ａ１の表示は、モノクロ高コントラストであるとともに、各ソフトウェアキーＢ２０〜Ｂ２７には、それぞれ数値キーＫ０〜Ｋ７に対応した番号が付されている。この図６で示す機能設定の画面において、部数設定の各ソフトウェアキーＢ２０またはそれに対応する数値キーＫ０が操作されると、前述の図５で示す部数設定の画面に戻り、ソフトウェアキーＢ２１〜Ｂ２６またはそれに対応する数値キーＫ１〜Ｋ６が操作されると、それぞれ対応する機能設定の画面に移る。また、この図６で示す機能設定の画面において、リセットのスイッチＳ４が操作されても、図５で示す部数設定の画面に戻る。
【００５４】
ここで、設定できる機能としては、ソフトウェアキーＢ２１および数値キーＫ１に対応する用紙の選択と、ソフトウェアキーＢ２２および数値キーＫ２に対応する縮小／拡大の選択と、ソフトウェアキーＢ２３および数値キーＫ３に対応するステープル／パンチの選択と、ソフトウェアキーＢ２４および数値キーＫ４に対応するコピー濃度の選択と、ソフトウェアキーＢ２５および数値キーＫ５に対応する両面／分割の選択と、ソフトウェアキーＢ２６および数値キーＫ６に対応する集約の選択と、この図６では表れていないソート／仕分けの選択と、原稿の画質の選択と、原稿サイズの選択との９種目である。図６では、縮小／拡大が選択されて、次の階層のその縮小／拡大の機能選択画面に移る直前の状態を示している。
【００５５】
図６の機能選択画面では、ソフトウェアキーを大きくするために、上述のようにソート／仕分けの選択と、原稿の画質の選択と、原稿サイズの選択との３つのソフトウェアキーは表示されておらず、代りに下矢印の画面切換えのソフトウェアキーＢ２７が表示されており、このソフトウェアキーＢ２７または数値キーＫ７が操作されると、それらのソフトウェアキーが表示され、また上矢印の画面切換えのソフトウェアキーが表示されることになり、その画面切換えのソフトウェアキーまたは対応する数値キーが操作されると、この図６で示す機能選択画面に戻る。
【００５６】
前記図６で示す機能選択画面において、たとえばソフトウェアキーＢ２１または数値キーＫ１が操作されると、頁を捲ってゆくように次の階層の機能選択画面に移り、図７で示すような用紙選択の画面となる。この用紙選択画面では、表示領域Ａ２にはガイダンスとして用紙選択画面であることがカラー表示され、表示領域Ａ３のステータス情報も、カラーのままで、ステータスに変化が無ければ、同じ表示が継続される。一方、表示領域Ａ１の表示では、上述のようにモノクロ高コントラストであるとともに、数値キーＫ０〜Ｋ６に対応した番号が付されているソフトウェアキーＢ３０〜Ｂ３６が表示されるとともに、記号キーＫ１０，Ｋ１１に対応した記号♯，＊が付されているソフトウェアキーＢ３Ａ，Ｂ３Ｂが表示される。
【００５７】
ソフトウェアキーＢ３０または対応する数値キーＫ０を操作することで用紙は自動選択となり、ソフトウェアキーＢ３１〜Ｂ３６または対応する数値キーＫ１〜Ｋ６を操作することで各サイズの用紙に手動選択となり、ソフトウェアキーＢ３Ａまたは対応する記号キーＫ１０を操作することで選択決定となって自動的に１つ前の階層（図６で示す機能選択画面）に戻り、ソフトウェアキーＢ３Ｂまたは対応する記号キーＫ１１を操作することで各ソフトウェアキーＢ３０〜Ｂ３６または対応するキーＫ０〜Ｋ６による設定が取消しとなる。図７では、自動選択が選択された状態を示している。
【００５８】
また、前記図６で示す機能選択画面において、たとえばソフトウェアキーＢ２４または数値キーＫ４が操作されると、図８で示すような濃度選択の画面となる。この濃度選択画面では、表示領域Ａ２にはガイダンスとして濃度選択画面であることがカラー表示され、表示領域Ａ３のステータス情報も、カラーのままで、ステータスに変化が無ければ、同じ表示が継続される。一方、表示領域Ａ１の表示では、上述のようにモノクロ高コントラストであるとともに、数値キーＫ０〜Ｋ７に対応した番号が付されているソフトウェアキーＢ４０〜Ｂ４７が表示されるとともに、記号キーＫ１０，Ｋ１１に対応した記号♯，＊が付されているソフトウェアキーＢ４Ａ，Ｂ３Ｂが表示される。
【００５９】
ソフトウェアキーＢ４０または対応する数値キーＫ０を操作することで前記濃度は自動選択となり、ソフトウェアキーＢ４１〜Ｂ４７または対応する数値キーＫ１〜Ｋ７を操作することで濃度は一発手動選択となり、ソフトウェアキーＢ４Ａまたは対応する記号キーＫ１０を操作することで選択決定となって自動的に１つ前の階層（図６で示す機能選択画面）に戻り、ソフトウェアキーＢ４Ｂまたは対応する記号キーＫ１１を操作することで各ソフトウェアキーＢ４０〜Ｂ４７または対応するキーＫ０〜Ｋ７による設定が取消しとなる。図８では、中間濃度が選択された状態を示している。この濃度選択には、ソフトウェアキーとしてアップダウンキーが用いられ、その繰返し操作で濃度設定が行われてもよい。
【００６０】
本実施の形態では、ファクシミリ送信動作と、上述のコピー動作とには、多くの使用者の利用が見込まれ、また簡単な機能のみでの使用が可能であるので、ユニバーサルモードが設定されており、それらの動作は、ユニバーサルモードのままで動作切換えを行うことができる。これに対して、複雑な操作を要する他の動作には、ユニバーサルモードでサポートされていない。
【００６１】
したがって、上述のような図５〜図８で示すユニバーサルモードにおけるコピー動作の任意の機能選択画面の表示中やコピー動作の終了後に、使用者がそれらの動作以外の他の動作を希望し、たとえばボックス機能のスイッチＳ２０が操作されたときには、図９で示すような使用者への問い合せ（警告）画面が表示され、使用者に確認させた後、標準モードに切換えてそれらの他の動作へ移るか（ソフトウェアキーＢ５Ａまたは記号キーＫ１０の操作で「はい」を選択）、ユニバーサルモードのままで前記送信動作またはコピー動作を継続する（ソフトウェアキーＢ５Ｂまたは記号キーＫ１１の操作で「いいえ」を選択）かを判定する。
【００６２】
一方、前記図５〜図８で示すユニバーサルモードにおける任意の機能選択画面の表示中やコピー動作の終了後に、送信のスイッチＳ１８が操作されたときは、設定中の機能は消去されて、ユニバーサルモードのままファクシミリ送信動作に移り、図１０のような機能選択画面となる。また図４で示すような待機中に送信のスイッチＳ１８が操作され、さらにユニバーサルモードのスイッチＳ２１が操作されたときにも、ファクシミリ送信動作でユニバーサルモードに切換わり、図１０のような機能選択画面となる。
【００６３】
図１０の機能選択画面は、送信相手先の選択方法を決定するものであり、ソフトウェアキーＢ６Ｂおよび記号キーＫ１１に対応する短縮番号による宛先呼出しと、ソフトウェアキーＢ６１および数値キーＫ１に対応する登録相手先の直接の呼出しと、ソフトウェアキーＢ２２および数値キーＫ２に対応する直接のファクシミリ番号入力との３通りの選択方法が示されている。また、この図１０では、ステータス情報の表示領域Ａ３には、プリントジョブにエラーが発生したことを示している。
【００６４】
この図１０で示す機能選択画面において、ソフトウェアキーＢ６Ｂまたは記号キーＫ１１が操作されると、次の階層の機能選択画面に移り、図１１で示すような短縮番号の入力画面となる。図１１の機能選択画面では、数値キーＫ０〜Ｋ９から入力された短縮番号の拡大表示Ｈ７０とともに、その入力を取り消すソフトウェアキーＢ７Ｂが表示される。
【００６５】
これに対して、図１０で示す機能選択画面において、ソフトウェアキーＢ６１または数値キーＫ１が操作されると、次の階層の機能選択画面に移り、図１２で示すような登録相手先の直接の呼出画面となる。図１２の選択画面では、ソフトウェアキーＢ８１〜Ｂ８６および数値キーＫ１〜Ｋ６に対応する各登録相手先の名称または電話番号と、ソフトウェアキーＢ８８，Ｂ８９および数値キーＫ８，Ｋ９に対応するこのような電話帳の頁捲りを行うアップダウンキーと、ソフトウェアキーＢ８Ｂおよび記号キーＫ１１に対応する前記図１１で示すような短縮番号呼出しに切換える切換えキーと、ソフトウェアキーＢ８Ａおよび記号キーＫ１０に対応する選択した相手先の確認画面に切換える切換えキーと、ソフトウェアキーＢ８０および数値キーＫ０に対応する詳細設定への切換えキーとが表示されている。
【００６６】
ここで、ソフトウェアキーは、置数キー群Ｋの各キーＫ０〜Ｋ１１の範囲、すなわち図２の例では１２までの表示が行われる。したがって、置数キー群Ｋにさらに他のキーが設けられていれば、それらを含めてもよい。この図１２の例では、画面バランスの関係で数値キーＫ７に対応するソフトウェアキーは設けられていないが、それ以外の総てのキーＫ０〜Ｋ６，Ｋ８〜Ｋ１１に対応するソフトウェアキーが設けられている。これによって、各機能選択画面において、各ソフトウェアキー（選択機能）は個別に対応するキーを有することになり、対応したキーの操作が容易で、かつそれぞれの選択機能を大きく表示して、操作性を向上することができる。一方、図５や図１１で示すように、数値キーＫ０〜Ｋ９を使用して入力を行なわなければばらない場合には、前記ソフトウェアキーは記号キーＫ１０，Ｋ１１の範囲でしか設定されない。
【００６７】
前記図１２で示す機能選択画面において、ソフトウェアキーＢ８０または数値キーＫ０が操作されると、次の階層の機能選択画面に移り、図１３で示すようなファクシミリ送信にあたっての各種設定画面となる。ファクシミリ送信の設定画面では、ソフトウェアキーＢ９１および数値キーＫ１に対応するカラー／モノクロの選択と、ソフトウェアキーＢ９２および数値キーＫ２に対応する原稿サイズの選択と、ソフトウェアキーＢ９３および数値キーＫ３に対応するファイル形式の選択と、ソフトウェアキーＢ９４および数値キーＫ４に対応する濃度の選択と、ソフトウェアキーＢ９５および数値キーＫ５に対応する片面／両面読取りの選択と、ソフトウェアキーＢ９６および数値キーＫ６に対応する解像度の選択と、前述の図６と同様にこの図１３では表れていない送信サイズの選択と、原稿の画質の選択と、縮小／拡大の選択と、原稿セット方向の選択との１０種目の選択が行われる。また、ソフトウェアキーＢ９０および数値キーＫ０に対応して、図１０または図１２の宛先選択画面への復帰が選択可能となっている。この図１３では、原稿サイズが選択されて、次の階層の機能選択画面に移る直前の状態を示している。
【００６８】
また、前述の図１１で示すように短縮番号から送信相手先が選択され、それが確定されると、または次の図１４で示すように電話番号の直接の入力から送信相手先が選択され、それが確定されると、この図１３で示すファクシミリ送信にあたっての各種設定画面に移る。
【００６９】
前記図１０で示す機能選択画面において、ソフトウェアキーＢ６２または数値キーＫ２が操作されると、次の階層の画面に移り、上述の図１４で示すような電話番号の直接の入力画面となる。
【００７０】
一方、上述の図１０〜図１４で示すファクシミリ送信のための機能選択中に、ジョブ確認のスイッチＳ１５が操作されると、図１５で示すようなジョブの確認および取消し可能な機能選択画面に移る。
【００７１】
以上のように本実施の形態に係る複合機１では、制御部４１の入力コントローラ４６は、タッチパネル装置Ｐの表示領域Ａ１上に、標準モード時には、図４で示すように部数設定を含む複数の機能選択画面を表示させて、それらの選択を許容するとともに、ユニバーサルモードに切換わると、最初に、図５において参照符号Ｈ１０で示すように、設定部数の入力画面が拡大して表示させ、その設定部数以外の機能表示を消去させて（他の機能設定に移るためのソフトウェアキーＢ１０は除く。ただし、リセットのスイッチＳ４の操作などによって、前記図４で示す待機画面に復帰可能であるので、このソフトウェアキーＢ１０は必ずしも表示されなくてもよい。）、部数入力のみを許容するので、使用頻度の高いその部数設定の操作を、拡大画面で行い易く（見易く）することができる。これによって、設定操作が簡単になり、操作に不慣れな人にも複合機１を利用してもらうことができる。
【００７２】
また、前記制御部４１の入力コントローラ４６は、前記ユニバーサルモード時は、前記タッチパネル装置Ｐの表示領域Ａ１をモノクロ表示とするとともに、標準モード時に比べて高コントラストに切換えるので、特に色弱や弱視の使用者にとって、ユニバーサルモード時の視認性を高くすることができる。
【００７３】
なお、必ずしもモノクロ表示に限らず、ユニバーサルモード時には標準モード時に比べて、使用する色数を少なくするようにすればよい。しかしながら、モノクロ以外の色の選択にあたっては、標準モード時に比べて、高いコントラストが得られる色が選択される。一方、前記標準モード時は、前記フルカラーでなくても、多色や多階調で、使用者が表示色からも情報を得たり、認識し易かったりする表示を実現すればよい。
【００７４】
さらにまた、前記タッチパネル装置Ｐには、各種の機能設定画面を表示する前記表示領域Ａ１とは別に、他の表示領域Ａ３が設けられており、前記制御部４１の入力コントローラ４６は、前記標準モードとユニバーサルモードとのいずれのモードであるかに拘わらず、その他の表示領域Ａ３上に、ファクシミリ送受信のような並行して行われている処理の様子、故障箇所や紙切れなどの機器の状態などのステータス情報を表示するので、ユニバーサルモード時に、上述のような操作性の向上を図りつつも、使用者に重要な情報を伝えることができる。
【００７５】
また、入力コントローラ４６は、前記表示領域Ａ１に表示されるソフトウェアキーに、ユニバーサルモード時には、相互に集約して配列されるキーＫ０〜Ｋ１１と対応付けた番号または記号を付して表示し、各キーＫ０〜Ｋ１１からの入力も、そのソフトウェアキーからの入力と共に対応する選択機能の入力として受付け、標準モード時には、前記番号または記号の表示を行わず、ソフトウェアキーからの入力のみを受付けるので、ユニバーサルモードでは、コピー動作およびファクシミリ送信動作の一部または全部の機能設定が各キーＫ０〜Ｋ１１からも行えるようになり、前記煩雑な操作に適応することができない使用者は、キーＫ０〜Ｋ１１による分かり易い操作で、多様な機能選択を行うことができるとともに、従来通りのソフトウェアキーによる選択も行うことができ、さらに前記表示領域Ａ１には、最大でもキーＫ０〜Ｋ１１分の選択機能しか表示されず、それぞれの選択機能を大きく表示して操作性を向上することができる。
【００７６】
なお、標準モード時においては、上述のように番号または記号の表示を行わず、タッチパネル装置Ｐからの入力のみで機能選択を行う、従来通りの広く一般的な手法に限らず、たとえば特許第３６１３４１０号公報や特開昭６２−２７２２８６号公報などで示されるように、前記番号または記号の表示を行うものの、複数の階層の機能選択画面における各選択機能が小さい表示で一括表示され、それをキーＫ０〜Ｋ１１の１回または複数回の操作（複数回の操作は２桁以上数値を指定）によって一発指定するなど、入力手法は適宜設定されればよい。
【００７７】
さらにまた、入力コントローラ４６は、前記ユニバーサルモードを選択可能なコピー動作およびファクシミリ送信動作から、該ユニバーサルモードでサポートされておらず、標準モードしか選択できない他の動作が選択されると、前記図９で示すような問い合わせ（警告）画面で一旦使用者に問い合わせ後に、該ユニバーサルモードを解除し、標準モードに復帰するので、使用者の誤操作などで不所望にユニバーサルモードを解除されてしまうような不具合をなくすことができる。なお、コピー動作の終了後や、最下層の階層の機能選択画面での選択が終了している状態などで、誤操作の可能性が少ない場合は、前記図９で示すような問い合せ（警告）画面を表示することなく、直接標準モードに復帰するようにしてもよい。
【００７８】
上述の説明では、ユニバーサルモードへの切換わりは、使用者によるスイッチＳ２１の操作であったけれども、複合機１側で、各使用者が所持する身分証に埋込まれたＩＣタグと通信したり、車椅子の接近を検知したり、子供の接近を検知したりというように、自発的にユニバーサルモードへの切換わりタイミングを判定し、使用者の操作によることなく、切換わるようにしてもよい。
【図面の簡単な説明】
【００７９】
【図１】本発明の実施の一形態の画像形成装置である複合機の機械的構成を示す縦断面図である。
【図２】前記複合機における操作部の正面図である。
【図３】前記複合機の電気的構成を示すブロック図である。
【図４】標準モードの待機画面（通常の待機画面）を示す図である。
【図５】コピー動作におけるユニバーサルモードでの初期画面である部数設定の画面を示す図である。
【図６】前記コピー動作におけるユニバーサルモードでの機能設定画面の一例を示す図である。
【図７】前記コピー動作におけるユニバーサルモードでの機能設定画面の他の例を示す図である。
【図８】前記コピー動作におけるユニバーサルモードでの機能設定画面のさらに他の例を示す図である。
【図９】ユニバーサルモードの解除警告の画面の一例を示す図である。
【図１０】ファクシミリ送信動作におけるユニバーサルモードでの初期画面である送信相手先の選択手法の設定画面を示す図である。
【図１１】ファクシミリ送信動作におけるユニバーサルモードでの機能設定画面の一例を示す図である。
【図１２】ファクシミリ送信動作におけるユニバーサルモードでの機能設定画面の他の例を示す図である。
【図１３】ファクシミリ送信動作におけるユニバーサルモードでの機能設定画面のさらに他の例を示す図である。
【図１４】ファクシミリ送信動作におけるユニバーサルモードでの機能設定画面の他の例を示す図である。
【図１５】ファクシミリ送信動作におけるユニバーサルモードでの機能設定画面のさらに他の例を示す図である。
【符号の説明】
【００８０】
１    複合機
１１    スキャナ部
２１    画像処理部
３１    プリンタ部
３６    データメモリ
４１    制御部
４２    スキャナコントローラ
４３    ファクシミリコントローラ
４４    プリンタコントローラ
４５    コピーコントローラ
４６    入力コントローラ
５１    操作パネル部
５２    表示部
５３    操作キー部
６１    ファクシミリ通信部
７１    ネットワークＩ／Ｆ部
７２    パラレルＩ／Ｆ部
７３    シリアルＩ／Ｆ部
７４    ＨＤＤ
１００  操作部
２００  本体部
３００  用紙後処理部
５００  原稿読み取り部
６００  原稿給送部
Ａ１〜Ａ３    表示領域
Ｋ    置数キー群
Ｋ０〜Ｋ９    数値キー
Ｋ１０，Ｋ１１    記号キー
Ｌ１〜Ｌ５    インジケータ
Ｐ    タッチパネル装置
Ｓ０〜Ｓ４；Ｓ１１〜Ｓ２１    スイッチ
【図１】
2007235336.tif 000003
【図２】
2007235336.tif 000004
【図３】
2007235336.tif 000005
【図４】
2007235336.tif 000006
【図５】
2007235336.tif 000007
【図６】
2007235336.tif 000008
【図７】
2007235336.tif 000009
【図９】
2007235336.tif 000010
【図１０】
2007235336.tif 000011
【図１１】
2007235336.tif 000012
【図１２】
2007235336.tif 000013
【図１３】
2007235336.tif 000014
【図１４】
2007235336.tif 000015
【図１５】
2007235336.tif 000016
【図８】
2007235336.tif 000017